(57)【特許請求の範囲】
【請求項１】
レンズを保持するレンズ鏡筒であって、
カメラ本体のボディマウントと接触する接触部を有するレンズマウントと、
前記レンズマウントに固定される第１枠と、
前記レンズマウント側から前記第１枠に向けて、前記レンズの光軸方向に、前記第１枠に挿入することによって、前記レンズマウントと前記第１枠とを連結する連結部と、
前記連結部よりも内周側に配置され、前記第１枠に対して回転可能に支持された第２枠と、
を備え、
前記レンズの光軸方向において、前記連結部における被写体側の端部位置は、前記第２枠におけるレンズマウント側の端部位置より、被写体側に位置するとともに、
前記第２枠は、前記第１枠に対して光軸方向に進退可能に支持され、
前記第２枠が最も前記レンズマウント側に移動した場合、前記レンズの光軸方向において、前記連結部における被写体側の端部位置は、前記第２枠におけるレンズマウント側の端部位置より、被写体側に位置する、
レンズ鏡筒。
【請求項２】
前記第２枠は、筒状の本体部を、有し、
被写体側から見て、前記本体部の少なくとも一部は、前記接触部と重なるように、配置されている、
請求項１に記載のレンズ鏡筒。
【請求項３】
前記第２枠に保持されるレンズ枠、
をさらに備え、
前記第２枠が最も前記レンズマウント側に移動した場合、前記レンズの光軸方向において、前記連結部における被写体側の端部位置は、前記レンズ枠のレンズマウント側の端部位置より、被写体側に位置する、
請求項１または２に記載のレンズ鏡筒。
【請求項４】
前記第２枠は、外周面及び内周面にカム溝が形成され、前記カム溝に係合するカムフォロアを有するレンズ枠を保持し、
前記第２枠が最も前記レンズマウント側に移動した場合、前記レンズの光軸方向において、前記連結部における被写体側の端部位置は、前記レンズ枠の前記カムフォロアの少なくとも一部より、被写体側に位置する、
請求項１から３のいずれかに記載のレンズ鏡筒。
【請求項５】
モータと、
前記モータの回転駆動力を前記第２枠へ伝達する伝達機構と、
をさらに備え、
前記モータは、前記第２枠の内周側に配置され、
前記レンズの光軸方向において、前記連結部における被写体側の端部位置は、前記モータの少なくとも一部より、被写体側に位置する、
請求項１から４のいずれかに記載のレンズ鏡筒。
【請求項６】
内周側から外周側に向かう固定部を有し、前記モータが装着される固定枠、
をさらに備え、
前記固定枠は、前記固定部で前記第１枠と連結され、
前記第２枠には、前記レンズマウント側の端部に切り欠き部が形成され、
前記第２枠が最も前記レンズマウント側に配置された場合、前記切り欠き部は前記固定部が配置されていた位置に配置される、
請求項５に記載のレンズ鏡筒。
【請求項７】
前記レンズ枠は、前記第２枠の外周面のカム溝に係合する第１カムフォロアを有する第１レンズ枠と、前記第２枠の内周面のカム溝に係合する第２カムフォロアを有する第２レンズ枠とを、有し、
前記第１枠によって前記第１レンズ枠の回転が規制され、
前記第１レンズ枠によって前記第２レンズ枠の回転が規制され、
前記第２枠の回転により、前記第１レンズ枠と前記第２レンズ枠とを光軸方向に移動させる、
請求項３または４に記載のレンズ鏡筒。
【発明の詳細な説明】
【技術分野】
【０００１】
ここに開示される技術は、沈胴式のレンズ鏡筒に関する。
【背景技術】
【０００２】
近年、被写体の画像データを生成する撮像装置が急速に普及している。撮像装置には焦点距離を調整するためのレンズ鏡筒が搭載されている。撮像装置としては、例えば、一体型あるいはレンズ交換型のカメラが知られている。一体型のカメラにはレンズ鏡筒が内蔵されている。レンズ交換型のカメラは、カメラ本体と、カメラ本体に装着可能なレンズ鏡筒と、を有している。
【０００３】
従来のレンズ鏡筒は、例えば、特許文献１に開示されている。このレンズ鏡筒は、レンズ群を光軸方向に移動させることによって、焦点距離を調整したり、所望の主被写体にピントを合わせたりすることが可能となっている。レンズ群を光軸方向に移動させる構成としては、手動でレンズ群を移動させる。また、焦点距離を調整するためにヘリコイド筒を回転させることでレンズ群を光軸方向に移動させる。
【先行技術文献】
【特許文献】
【０００４】
【特許文献１】特開昭６２−２５９８１６号公報
【発明の概要】
【発明が解決しようとする課題】
【０００５】
しかしながら、この構成では、レンズ鏡筒の全長を短縮し小型化するには限界がある。
ここに開示される技術は、沈胴式のレンズ鏡筒であって、格納された状態でより小型化が可能なレンズ鏡筒を提供することを目的とする。
【課題を解決するための手段】
【０００６】
ここに開示されるレンズ鏡筒は、レンズを保持するレンズ鏡筒である。このレンズ鏡筒は、レンズマウントと、第１枠と、連結部と、第２枠とを、備えている。レンズマウントは、カメラ本体のボディマウントと接触する接触部を、有している。第１枠は、レンズマウントに固定される。連結部は、レンズマウント側から第１枠に向けて、レンズの光軸方向に、第１枠に挿入される。これによって、レンズマウントと第１枠とが互いに連結される。第２枠は、連結部よりも内周側に配置され、第１枠に対して回転可能に支持されている。ここで、レンズの光軸方向において、連結部における被写体側の端部位置は、第２枠におけるレンズマウント側の端部位置より、被写体側に位置している。
【０００７】
以上の構成を備えたレンズ鏡筒であれば、小型化が可能となる。また、このレンズ鏡筒を備えた撮像装置でも、同様に小型化が可能となる。
【発明の効果】
【０００８】
ここに開示される技術によれば、小型化が可能なレンズ鏡筒および撮像装置を提供することが出来る。
【図面の簡単な説明】
【０００９】
【図１】撮像装置１の斜視図
【図２】カメラ本体３の斜視図
【図３】（Ａ）レンズ鏡筒２の斜視図（正面側）、（Ｂ）レンズ鏡筒２の斜視図（背面側）
【図４】レンズ鏡筒２の断面図（格納状態）
【図５】レンズ鏡筒２の断面図（広角端）
【図６】レンズ鏡筒２の断面図（望遠端）
【図７】（Ａ）外枠５０の内周展開図、（Ｂ）カム枠６０の内周展開図
【図８】（Ａ）カム枠６０および固定枠７０の斜視図、（Ｂ）レンズ鏡筒２内部の斜視図
【図９】レンズ鏡筒２の部品展開図
【図１０】レンズ鏡筒１０２の断面図（格納状態）
【発明を実施するための形態】
【００１０】
［第１実施形態］
１．外観
図１に撮像装置１の斜視図を示す。撮像装置１はレンズ交換式のデジタルカメラであり、主に、カメラ本体３と、カメラ本体３に取り外し可能に装着されたレンズ鏡筒２を備えている。
【００１１】
図２に、レンズ鏡筒２を取り外したときのカメラ本体３の斜視図を示す。カメラ本体３０は、レンズ鏡筒２を取り付ける部分であるボディマウント３０とレンズ鏡筒２で形成された光学像を撮像して画像データに変換する撮像素子３６とを備える。
図３にレンズ鏡筒２の斜視図を示す。図３（Ａ）は被写体側から見た斜視図であり、図３（Ｂ）はレンズマウント８０側から見た斜視図である。レンズ鏡筒２は、レンズマウント８０およびボディマウント３０（図２を参照）を介して、カメラ本体３と機械的および電気的に接続されている。レンズマウント８０は、カメラ本体３のボディマウント３０に装着される環状の部材である。レンズマウント８０は、接触面８１と外周面８６とを有する。接触面８１は、レンズ鏡筒２がカメラ本体３に取り付けられた状態で、ボディマウント３０と接触する面である。外周面８６は、接触面よりも外周側に設けられている。外周面８６は、接触面８１よりも被写体側に形成されている。
【００１２】
レンズ鏡筒２は、最外周に外枠５０を有する。外枠５０は、レンズマウント８０に、連結部５１例えばビスにより、連結されている。連結部５１は、レンズマウント８０の外周面８６で、レンズの光軸方向に沿って、レンズマウント８０側から外枠５０に向かう方向にレンズマウント８０を貫通し、外枠５０に挿入することによって、レンズマウント８０と外枠５０とを連結する。
【００１３】
レンズ鏡筒２は、レンズを保持する。図３には、レンズの光軸として、光軸ＡＸを表示している。光軸方向とは、光軸ＡＸに沿う方向であり、光軸ＡＸと平行な方向である。
【００１４】
２．レンズ鏡筒２の縦断面
図４は、カム枠６０が最もレンズマウント８０側に移動しているときのレンズ鏡筒２の縦断面図である。
外枠５０は、レンズマウント８０に固定されている。外枠５０は、光軸方向に進退可能および回転可能にカム枠６０を保持している。外枠５０は、概ね筒状の部材である。固定枠７０は、レンズマウント８０に固定されている。
外枠５０は、上述した通り、レンズマウント８０に、連結部５１例えばビスにより、固定されている。連結部５１は、所定長だけ外枠５０内に挿入されている。具体的には、所定の長さのビス（連結部５１）が、外枠５０内に形成されている雌ねじにねじ込まれている。外枠５０の内周面にはカム溝５２および直進溝５３が形成されている。
【００１５】
カム枠６０は、外周面にカムフォロア６６を備える。カムフォロア６６は、外枠５０の内周面に形成されたカム溝５２に係合する。これにより、カム枠６０が外枠５０に対して回転することより、カムフォロア６６はカム溝５２に沿って移動する。その結果、カム枠６０は、外枠５０に対して進退する。カム枠６０の外周面には第１カム溝６１が形成されている。カム枠６０の内周面には第２カム溝６２が形成されている。
【００１６】
図４に示すように、カム枠６０が最もレンズマウント８０側に移動したとき、カム枠６０のレンズマウント８０側の端部は、レンズの光軸方向において、連結部５１が配置された領域内に配置される。すなわち、レンズの光軸方向において、カム枠６０のレンズマウント８０側の端部と、連結部５１とが重なるように、連結部５１及びカム枠６０は配置されている。言い換えると、カム枠６０のレンズマウント８０側の端部は、レンズの光軸ＡＸに直交する方向において、連結部５１が配置された領域に含まれている。つまり、図４において、カム枠６０のレンズマウント８０側の端部は、連結部５１の先端よりもレンズマウント８０側に配置されている。
【００１７】
カム枠６０は、第１レンズ枠２１を保持する。第１レンズ枠２１には第１カムフォロア３１が形成されている。第１カムフォロア３１は、第１カム溝６１に係合する。これにより、カム枠６０が第１レンズ枠２１に対して回転することより、第１カムフォロア３１は第１カム溝６１に沿って移動する。その結果、第１レンズ枠２１は、カム枠６０に対して進退する。カム枠６０が最もレンズマウント８０側に移動したとき、第１レンズ枠２１の第１カムフォロア３１の少なくとも一部は、レンズの光軸方向において、連結部５１が配置された領域内に配置される。第１レンズ枠２１は、レンズＬ１、Ｌ２、Ｌ３を保持する。
【００１８】
カム枠６０は、第２レンズ枠２２を保持する。第２レンズ枠２２には第２カムフォロア３２が形成されている。第２カムフォロア３２は、第２カム溝６２に係合する。これにより、カム枠６０が第２レンズ枠２２に対して回転することより、第２カムフォロア３２は第２カム溝６２に沿って移動する。その結果、第２レンズ枠２２は、カム枠６０に対して進退する。第２レンズ枠２２は、レンズＬ４、Ｌ５、Ｌ６、Ｌ７を保持する。絞りユニット４２は第２レンズ枠２２に取り付けられ、第２レンズ枠２２と一体となって光軸方向に移動する。
【００１９】
カム枠６０は、筒状の本体部を有する。被写体側から見て、カム枠６０の本体部の少なくとも一部が接触面８１と重なるように、カム枠６０は配置されている。詳細には、被写体側から見て、カム枠６０の本体部の少なくとも一部が接触面８１の外周側で重なるように、カム枠６０は配置されている。
固定枠７０は、シャフト７１を介して第３レンズ枠２３を保持する。第３レンズ枠２３は、図示しないフォーカスモータによって光軸方向に駆動される。第３レンズ枠２３は、レンズＬ８を保持する。固定枠７０は、レンズＬ９を保持する。フォーカスモータとしては、例えばステッピングモータが用いられる。
【００２０】
モータ７５は、固定枠７０に固定されている。モータ７５は、カム枠６０の内周側に配置される。モータ７５は、カム枠６０を回転させるための駆動手段である。モータ７５の少なくとも一部は、レンズの光軸方向において、連結部５１が配置された領域内に配置される。
なお、本実施の形態では、４群のレンズ構成からなる光学系を実現する場合を例示した。しかし、本発明はこれに限定されない。
【００２１】
図５は、レンズ鏡筒２を使用中であって、広角端での撮影の際の状況を示す断面図である。レンズ鏡筒２の使用状態であるため、カムフォロア６６は、図４に示す状態に比べて、被写体側に位置する。そのため、カム枠６０が外枠５０に対して繰り出した状態となる。
図６は、レンズ鏡筒２を使用中であって、望遠端での撮影の際の状況を示す断面図である。図５、図６に示すように、第１レンズ枠２１および第２レンズ枠２２の位置を調節することにより、ズームの状態を変えることができる。
【００２２】
３．カム溝の状態
図７（Ａ）は、外枠５０の内周の展開図である。直進溝５３は、第１レンズ枠２１が回転しないようにガイドするためのものである。第１レンズ枠２１に形成された直進突起３７は、直進溝５３に係合する。すなわち、第１レンズ枠２１の回転が、外枠５０によって、規制されている。カム溝５２は、外枠５０の内周面内において、３カ所設けられている。直進溝５３は、外枠５０の内周面内において、５カ所設けられている。
【００２３】
ビス８３は、レンズマウント８０と固定枠７０を貫通し、外枠５０に挿入されている。これにより、固定枠７０、レンズマウント８０および外枠５０は、互いに固定される。ビス８３および連結部５１は、それぞれ３カ所ずつ設けられている。
図７（Ａ）から明らかなように、カム溝５２のレンズマウント８０側の端部は、連結部５１の先端よりもレンズマウント８０側に位置する。言い換えると、レンズ収納時に使用されるカム溝５２の領域（範囲）は、連結部５１の先端よりもレンズマウント８０側に、形成されている。これにより、カム枠６０が最もレンズマウント８０側に移動した場合、カム枠６０のレンズマウント８０側の端部は、レンズの光軸方向において、連結部５１が配置された領域内に配置される。すなわち、この場合、レンズの光軸方向において、カム枠６０のレンズマウント８０側の端部と、連結部５１とが重なるように、連結部５１及びカム枠６０は配置されている。言い換えると、カム枠６０が最もレンズマウント８０側に移動した場合、カム枠６０のレンズマウント８０側の端部は、レンズの光軸ＡＸに直交する方向において、連結部５１が配置された領域に含まれている。また、３箇所の連結部５１は、３本のカム溝５２の円周方向間にそれぞれ配置されており、カム溝５２とは干渉していない。
【００２４】
図７（Ｂ）は、カム枠６０の内周の展開図である。カム枠６０の内周面には、第２カム溝６２およびギア部６４が設けられている。ギア部６４は、伝達機構７６に設けられた歯車と歯合し、モータ７５の駆動力をカム枠６０に伝達する。
カム枠６０の外周面には、第１カム溝６１、カムフォロア６６が設けられている。
カム枠６０のレンズマウント８０側の端部には切り欠き６５が設けられている。切り欠き６５は、カム枠６０のレンズマウント８０側の端部のうち第１カム溝６１および第２カム溝６２と干渉しない位置に設けられている。すなわち、切り欠き６５は、周方向において、第１カム溝６１を避けた位置に配置され、光軸方向において、第２カム溝６２を避けた位置に配置されている。
【００２５】
４．カム枠６０と固定枠７０の関係
図８（Ａ）は、カム枠６０および固定枠７０の分解斜視図である。固定枠７０は、内周側から外周側に向かう固定部８４を備える。固定部８４は、外周に３カ所設けられている。連結部５１および固定部８４は、それぞれ円周方向にほぼ等間隔で３カ所ずつ配置されている。固定枠７０の内周にはモータ７５および伝達機構７６が装着されている。伝達機構７６は、モータ７５の回転駆動力をカム枠６０へ伝達する。
【００２６】
図８（Ｂ）は、カム枠６０および固定枠７０をレンズマウント８０に組み込んだ状態を示す斜視図である。図８（Ｂ）は、カム枠６０が最もレンズマウント８０側にあるときを示す。この状態において、切り欠き部６５は固定部８４が配置された箇所に位置する。これにより、固定部８４がカム枠６０に干渉することなく、カム枠６０の外周側に配置することができる。そして、レンズマウント８０、固定部８４、外枠５０は、ビス８３で固定されるが、その固定された部分がカム枠６０の外周側にあるため、カム枠６０が最もレンズマウント８０側に移動したときであっても、カム枠６０のレンズマウント８０側の端部は、レンズの光軸方向において、ビス８３が配置された領域内に配置することができる。そのため、カム枠６０をコンパクトな状態で格納できる。
【００２７】
図９にレンズ鏡筒２の部品展開図を示す。
カム枠６０は、第１レンズ枠２１を保持する。第１レンズ枠２１には第１カムフォロア３１が形成されている。第１カムフォロア３１は、第１カム溝６１に係合する。これにより、カム枠６０が第１レンズ枠２１に対して回転することより、第１カムフォロア３１は第１カム溝６１に沿って移動する。その結果、第１レンズ枠２１は、カム枠６０に対して進退する。外枠５０の内周面にはカム溝５２および直進溝５３が形成されている。第１レンズ枠２１に形成された直進突起３７は、直進溝５３に係合する。それによって第１レンズ枠２１が回転しないように規制される。
【００２８】
第１レンズ枠２１の内周側には３本の１群直進溝３５が光軸方向に設けられている。第２レンズ枠２２の外周側には２群直進突起３８が３箇所形成されている。３本の１群直進溝３５に、第２レンズ枠２２の３つの２群直進突起３８がそれぞれ挿入される。それによって、第２レンズ枠２２の回転は、第１レンズ枠２１によって規制されている。２群直進突起３８はカム枠６０よりも被写体側に配置される。
カム枠６０の回転により、第１レンズ枠２１と第２レンズ枠２２を光軸方向に移動させる。
【００２９】
５．まとめ
（１）本実施の形態のレンズ鏡筒２は、レンズマウント８０と外枠５０と連結部５１とカム枠６０とを備える。レンズ鏡筒２は、レンズを保持する。レンズマウント８０は、カメラ本体３のボディマウント３０と接触する接触面８１を有する。外枠５０は、レンズマウント８０に固定される。連結部５１は、レンズマウント８０側から外枠５０に向けて、レンズの光軸方向に、外枠５０に挿入される。これによって、レンズマウント８０と外枠５０とが連結される。カム枠６０は、外枠５０よりも内周側に配置され、外枠５０に対して回転可能に支持される。カム枠６０のレンズマウント８０側の端部は、レンズの光軸方向において、連結部５１が配置された領域内に配置される。
これにより、カム枠６０のレンズマウント８０側の端部と連結部５１とが干渉することがない。そのため、カム枠６０を外枠５０内に格納した状態で、よりコンパクトなレンズ鏡筒２を実現できる。
【００３０】
（２）本実施の形態のレンズ鏡筒２において、カム枠６０は、外枠５０よりも内周側に配置され、外枠５０に対して進退可能に支持される。カム枠６０のレンズマウント８０側の端部は、レンズの光軸方向において、連結部５１が配置された領域内に配置される。
これにより、カム枠６０のレンズマウント８０側の端部と連結部５１とが干渉することがない。そのため、カム枠６０を外枠５０内に格納した状態でよりコンパクトなレンズ鏡筒２を実現できる。
【００３１】
（３）本実施の形態のレンズ鏡筒２において、カム枠６０が、最もレンズマウント８０側に移動したとき、カム枠６０のレンズマウント８０側の端部は、レンズの光軸方向において、連結部５１が配置された領域内に配置される。
これにより、カム枠６０が最もレンズマウント８０側に移動したときでも、カム枠６０のレンズマウント８０側の端部と連結部５１とが干渉することがない。そのため、カム枠６０を外枠５０内に格納した状態でよりコンパクトなレンズ鏡筒２を実現できる。
【００３２】
（４）本実施の形態のレンズ鏡筒２において、カム枠６０は筒状の本体部６３を有する。本体部６３の少なくとも一部は、被写体側から見て接触面８１と重なるように配置される。
これにより、カム枠６０の内側空間を拡大し、第２レンズ群Ｇ２および第８レンズＬ８に干渉することなく、モータ７５を配置できる。また、カム枠６０をレンズマウント８０側に移動させることができる。そのため、レンズ鏡筒２の全長を短縮し、電動による焦点距離調整が可能になる。
【００３３】
（５）本実施の形態のレンズ鏡筒２において、カム枠６０は、外周面または内周面に、それぞれカム溝６１またはカム溝６２が形成される。カム溝６１またはカム溝６２にそれぞれ係合するカムフォロア３１またはカムフォロア３２を有する。
【００３４】
カム枠６０が最もレンズマウント８０側に移動したとき、第１レンズ枠２１のカムフォロア３１の少なくとも一部は、レンズの光軸方向において、連結部５１が配置された領域内に配置される。
これにより、第１レンズ枠２１をレンズマウント８０側に移動させることが可能となる。そのため、第１レンズ枠２１を外枠５０内に格納した状態でよりコンパクトなレンズ鏡筒２を実現できる。
【００３５】
（６）本実施の形態のレンズ鏡筒２において、モータ７５と、モータ７５の回転駆動力をカム枠６０へ伝達する伝達機構とをさらに備える。モータ７５は、カム枠６０の内周側に配置され、モータ７５の少なくとも一部は、レンズの光軸方向において、連結部５１が配置された領域内に配置される。
これにより、モータ７５の被写体側のスペースに絞りユニット４２などの部品を有効に配置することが可能となる。そのため、レンズ鏡筒２の全長を短縮することができる。
【００３６】
（７）本実施の形態のレンズ鏡筒２において、モータ７５が装着される固定枠７０を備える。固定枠７０は、内周側から外周側に向かう固定部８４を有する。固定枠７０は、固定部８４で第１枠５０と連結される。第２枠６０は、レンズマウント８０側の端部のうち、カム溝６１および６２がない部分に切り欠き部６５が形成される。第２枠６０が最もレンズマウント８０側にあるとき、切り欠き部６５は、固定部８４が配置されていた箇所に位置する。
【００３７】
これにより、固定枠７０とカム枠６０が干渉することなく、カム枠６０をレンズマウント８０側に移動することができる。そのため、レンズ鏡筒２の全長を短縮することができる。
図９に示すように、第１レンズ枠２１の内周側の１群直進溝３５には、第２レンズ枠２２の２群直進突起３８を挿入する構成を有している。これによって、第２レンズ枠２２の回転を規制するための部品を、外枠５０に特別に設ける必要がないために、部品点数を少なくすることができる。
【００３８】
また、カム枠６０の外側に第１レンズ枠２１を配置し、カム枠６０の内側に第２レンズ枠２２を配置し、第１レンズ枠２１の内周側の１群直進溝３５に第２レンズ枠２２の２群直進突起３８を挿入する構成としている。これによって、第２レンズ枠２２の回転を規制するための部材を、カム枠６０の内側に特別に設ける必要がない。このため、この部材をカム枠６０の内側に配置するためのスペースが不用になる。これにより、カム枠６０の内側のスペースを有効に利用することができる。すなわち、モータ７５などの部品を配置することができるので、レンズ鏡筒２を小型にすることが可能となる。
【００３９】
（８）本実施の形態の撮像装置１では、レンズ鏡筒２により形成された光学像を撮像して画像データに変換する撮像素子を備えたカメラ本体３に、上述のレンズ鏡筒２が装着される。これより、コンパクトな撮像装置１を実現できる。
【００４０】
［第２実施形態］
本発明は、第２実施形態について説明する。なお、前述の第１実施形態の構成と実質的に同じ機能を有する構成については、同じ符号を使用し、その詳細な説明は省略する。
図１０に第２の実施形態のレンズ鏡筒１０２の断面図を示す。
外枠５０は、連結部５１を介して、固定枠７０と連結される。連結部５１は接触面８１の外側に配置される。固定枠７０はレンズマウント８０とビス８５によって連結され、ビス８５は接触面８１の内側に配置される。カム枠６０の一部は接触面８１と連結部５１の光軸方向の間に配置される。また第１カムフォロア３１の一部およびモータ７５の一部は接触面８１と連結部５１の光軸方向の間に配置される。
【００４１】
外枠５０とレンズマウント８０の間に固定枠７０を配置し、連結部５１によって固定枠７０を外枠５０に固定する構成であっても、第１実施形態と同様にレンズ鏡筒の全長を短縮する効果を有する。
【００４２】
［他の実施形態］
本発明は、前述の実施形態に限定されるものではなく、本発明の範囲を逸脱することなく種々の変形および修正が可能である。
なお、前述の第１および第２実施形態の構成と実質的に同じ機能を有する構成については、同じ符号を使用し、その詳細な説明は省略する。
（１）前述の実施形態では、撮像装置１を例に撮像装置について説明しているが、撮像装置は撮像装置１に限定されない。例えば、撮像装置１は静止画撮影および動画撮影を行えるが、撮像装置は、静止画撮影のみを行う装置であってもよいし、動画撮影のみを行う装置であってもよい。
（２）前述の実施形態では、レンズ鏡筒２を例にレンズ鏡筒について説明しているが、レンズ鏡筒はレンズ鏡筒２に限定されない。例えば、レンズ鏡筒は、交換可能なレンズ鏡筒ではなく一体型の撮像装置に用いられるレンズ鏡筒であってもよい。
（３）前述の実施形態では、モータ７５を例に説明しているが、モータ７５はＤＣモータに限定されない。他のタイプのモータ（例えば、ステッピングモータ）であってもよい。
（４）前述の実施形態では、連結部５１はビスで連結されているが、連結方法はビスに限定されない。例えば接着や圧入など他の方法で連結しても構わない。また、レンズマウント８０と連結部５１が一体となった構成でも構わない。
【産業上の利用可能性】
【００４３】
以上に説明したレンズ鏡筒は、小型化が可能となるので、撮像装置の分野において有用である。
【符号の説明】
【００４４】
１  撮像装置
２  レンズ鏡筒
３  カメラ本体
２１  レンズ枠（第１レンズ枠）
２２  第２レンズ枠
２３  第３レンズ枠
３０  ボディマウント
３１  第１カムフォロア
３２  第２カムフォロア
３５  １群直進溝
３６  撮像素子
３７  直進突起
３８  ２群直進突起
４２  絞りユニット
５０  外枠（第１枠）
５１  連結部
５２  カム溝
５３  直進溝
６０  カム枠（第２枠）
６１  第１カム溝
６２  第２カム溝
６３  本体部
６４  ギア部
６５  切り欠き
６６  カムフォロア
７０  固定枠
７１  シャフト
７５  モータ
７６  伝達機構
８０  レンズマウント
８１  接触面
８３  ビス（固定枠連結）
８４  固定部
８５  ビス（他の実施例）
８６  外周面
Ｌ１  第１レンズ
ＡＸ  光軸
【図１】
0006004223.tif 000002
【図２】
0006004223.tif 000003
【図３】
0006004223.tif 000004
【図４】
0006004223.tif 000005
【図５】
0006004223.tif 000006
【図６】
0006004223.tif 000007
【図７】
0006004223.tif 000008
【図８】
0006004223.tif 000009
【図９】
0006004223.tif 000010
【図１０】
0006004223.tif 000011